(57)【要約】      （修正有）【課題】高い支持剛性を確保した上で、左右の首振り角度を十分に確保できるようにする。【解決手段】左右対の屈曲支持アームを水平面内で互いに内側へ屈曲させて、水平面の上下で互いに交叉させることにより、高い支持剛性を確保した上で、左右の首振り角度を、片側で１８０°程度まで十分に確保できるようにした。また、この壁掛けディスプレイの取り付け装置は、ディスプレイの幅に対してベースやホルダの幅を広くしても、内側へ屈曲するように折り畳まれる各屈曲支持アームがディスプレイからはみ出すことがないので、見栄えがよい。【選択図】図２
2009157139.tif 000002
【特許請求の範囲】
【請求項１】
壁掛けディスプレイを取り付ける壁面に固定されるベースと、壁掛けディスプレイの裏面に固定されるホルダとを、水平面内で屈曲可能な節点を少なくとも１つ有する左右対の屈曲支持アームで連結し、前記壁掛けディスプレイを壁面に対して左右に首振り可能とした壁掛けディスプレイの取り付け装置において、前記左右対の屈曲支持アームを水平面内で互いに内側へ屈曲させて、水平面の上下で互いに交叉させるようにしたことを特徴とする壁掛けディスプレイの取り付け装置。
【請求項２】
前記左右対の屈曲支持アームの少なくとも一方を、上下に複数本設けた請求項１に記載の壁掛けディスプレイの取り付け装置。
【請求項３】
前記互いに交叉する左右対の屈曲支持アームの少なくとも１本ずつを上下方向で近接配置し、この上下方向で近接配置した左右対の屈曲支持アームを、所定の屈曲状態で少なくとも１つの交叉部を拘束する手段を設けた請求項１または２に記載の壁掛けディスプレイの取り付け装置。
【発明の詳細な説明】
【技術分野】
【０００１】
本発明は、壁掛けディスプレイを壁面に対して左右に首振り可能とした壁掛けディスプレイの取り付け装置に関する。
【背景技術】
【０００２】
薄型テレビ等の壁掛けディスプレイの取り付け装置には、ディスプレイ画面を観る人の位置に応じて、壁掛けディスプレイを壁面に対して左右に首振り可能としたものがある（例えば、特許文献１、２参照）。
【０００３】
特許文献１に記載されたものは、壁掛けディスプレイを取り付ける壁面に固定されるベースと、壁掛けディスプレイの裏面に固定されるホルダとを、水平面内で共に外側へ屈曲可能な節点を有する左右対の屈曲支持アームで連結し、壁掛けディスプレイを左右に首振り可能としている。また、特許文献２に記載されたものは、壁面に固定されるベースと壁掛けディスプレイの裏面に固定されるホルダとを、上下向きに平行になるように離間して設けた一対の軸部で、着脱可能かつ回動可能に連結して、いずれか一方の軸部の回りに、壁掛けディスプレイを左右に首振り可能としている。
【０００４】
【特許文献１】特開２００７−６５５０９号公報
【特許文献２】特開２００４−１２７７３号公報
【発明の開示】
【発明が解決しようとする課題】
【０００５】
特許文献１に記載された壁掛けディスプレイの取り付け装置は、左右対の屈曲支持アームで壁掛けディスプレイを支持するので、高い支持剛性を確保できるが、左右対の屈曲支持アームを外側へ屈曲可能としているので、左右の首振り角度が片側で９０°程度に制約される問題がある。例えば、壁掛けディスプレイを部屋内の柱や凸コーナ部に取り付けた場合は、柱や凸コーナ部を回り込んだ向こう側の奥へはディスプレイ画面を向けることができない。
【０００６】
一方、特許文献２に記載された壁掛けディスプレイの取り付け装置は、首振り角度を片側で１８０°程度まで確保できるが、回動される壁掛けディスプレイをいずれか一方の軸部で支持することになるので、壁掛けディスプレイの支持剛性が低くなる問題がある。
【０００７】
そこで、本発明の課題は、高い支持剛性を確保した上で、左右の首振り角度を十分に確保できるようにすることである。
【課題を解決するための手段】
【０００８】
上記の課題を解決するために、本発明は、壁掛けディスプレイを取り付ける壁面に固定されるベースと、壁掛けディスプレイの裏面に固定されるホルダとを、水平面内で屈曲可能な節点を少なくとも１つ有する左右対の屈曲支持アームで連結し、前記壁掛けディスプレイを壁面に対して左右に首振り可能とした壁掛けディスプレイの取り付け装置において、前記左右対の屈曲支持アームを水平面内で互いに内側へ屈曲させて、水平面の上下で互いに交叉させる構成を採用した。
【０００９】
すなわち、左右対の屈曲支持アームを水平面内で互いに内側へ屈曲させて、水平面の上下で互いに交叉させることにより、高い支持剛性を確保した上で、後の図２に示す例のように、左右の首振り角度を、片側で１８０°程度まで十分に確保できるようにした。また、この壁掛けディスプレイの取り付け装置は、ディスプレイの幅に対してベースやホルダの幅を広くしても、内側へ屈曲するように折り畳まれる各屈曲支持アームがディスプレイからはみ出すことがないので、見栄えがよい利点もある。
【００１０】
前記左右対の屈曲支持アームの少なくとも一方を、上下に複数本設けることにより、支持剛性さらに高めることができる。
【００１１】
前記互いに交叉する左右対の屈曲支持アームの少なくとも１本ずつを上下方向で近接配置し、この上下方向で近接配置した左右対の屈曲支持アームを、所定の屈曲状態で少なくとも１つの交叉部を拘束する手段を設けることにより、壁掛けディスプレイを所望の首振り角度で固定することができる。
【発明の効果】
【００１２】
本発明の壁掛けディスプレイの取り付け装置は、左右対の屈曲支持アームを水平面内で互いに内側へ屈曲させて、水平面の上下で互いに交叉させるようにしたので、高い支持剛性を確保した上で、左右の首振り角度を十分に確保することができる。また、この壁掛けディスプレイの取り付け装置は、ディスプレイの幅に対してベースやホルダの幅を広くしても、内側へ屈曲するように折り畳まれる各屈曲支持アームがディスプレイからはみ出すことがないので、見栄えがよい利点もある。
【００１３】
前記左右対の屈曲支持アームの少なくとも一方を、上下に複数本設けることにより、支持剛性さらに高めることができる。
【００１４】
前記互いに交叉する左右対の屈曲支持アームの少なくとも１本ずつを上下方向で近接配置し、この上下方向で近接配置した左右対の屈曲支持アームを、所定の屈曲状態で少なくとも１つの交叉部を拘束する手段を設けることにより、壁掛けディスプレイを所望の首振り角度で固定することができる。
【発明を実施するための最良の形態】
【００１５】
以下、図面に基づき、本発明の実施形態を説明する。図１および図２は、第１の実施形態を示す。この壁掛けディスプレイの取り付け装置は、図１に示すように、壁掛けディスプレイを取り付ける壁面に固定されるベース１と、壁掛けディスプレイの裏面に固定されるホルダ２とを、水平面内で屈曲可能な１つの節点を有する左右対の屈曲支持アーム３ａ、３ｂで連結し、左右対の屈曲支持アーム３ａ、３ｂを水平面内で互いに内側へ屈曲させて、水平面の上下で互いに交叉させるようにしたものであり、左右対の屈曲支持アーム３ａ、３ｂは、上部と下部で互いに近接させて、２本ずつ設けられている。
【００１６】
前記上下部の各屈曲支持アーム３ａ、３ｂは、それぞれ同じ長さの２つのアーム要素４を連結ピン５で回動自在に連結したものであり、各屈曲支持アーム３ａ、３ｂの両端部も、それぞれベース１とホルダ２に設けられた上下のフランジ部１ａ、２ａに連結ピン６で回動自在に連結されている。ベース１とホルダ２には、それぞれ壁面と壁掛けディスプレイの裏面に取り付けるための複数の取り付け用孔１ｂ、２ｂが設けられている。
【００１７】
また、前記ベース１には、コ字状のばねで形成された拘束具７が鎖８で取り付けられており、図中に一点鎖線で示すように、上下方向で近接配置された上下部いずれかの左右対の屈曲支持アーム３ａ、３ｂの交叉部に拘束具８を上から嵌め込むことにより、左右対の屈曲支持アーム３ａ、３ｂを所定の屈曲状態で拘束して、壁掛けディスプレイを所望の首振り角度で固定することができる。
【００１８】
図２（ａ）、（ｂ）、（ｃ）は、上述した取り付け装置を用いて、壁掛けディスプレイＡを部屋の凸コーナ部の壁Ｂに取り付けた状態を示す。図２（ａ）は、左右対の屈曲支持アーム３ａ、３ｂを折り畳んで、壁掛けディスプレイＡの画面を正面に向けた状態、図２（ｂ）は、壁掛けディスプレイＡを右方向に９０°首振りさせ、その画面を凸コーナ部の右側へ向けた状態、図２（ｃ）は、壁掛けディスプレイＡを右方向に１８０°首振りさせ、その画面を凸コーナ部を回り込んだ向こう側の奥へ向けた状態である。図示は省略するが、この取り付け装置は、壁掛けディスプレイＡを左方向へも同様に首振りさせることができる。
【００１９】
図３は、第２の実施形態を示す。この壁掛けディスプレイの取り付け装置は、基本的な構成は第１の実施形態のものと同じであり、左側の屈曲支持アーム３ａが１本とされ、ベース１とホルダ２の上下中間部に形成された切り起こし部１ｃ、２ｃに、連結ピン６で回動自在に連結されている点と、拘束具７が取り付けられていない点とが異なる。その他の部分は第１の実施形態のものと同じであり、右側の屈曲支持アーム３ｂは２本設けられている。
【００２０】
上述した各実施形態では、各屈曲支持アームが１つの屈曲可能な節点を有するものとし、左右対の一方または両方の屈曲支持アームを２本としたが、各屈曲支持アームは２つ以上の屈曲可能な節点を有するものとすることもできる。また、左右対の屈曲支持アームの本数は、任意に設定することができ、１本ずつとすることもできる。さらに、各屈曲支持アームのアーム要素の形態も各実施形態のものに限定されることはなく、例えば、アーム要素を縦長断面のものとすることもできる。
【図面の簡単な説明】
【００２１】
【図１】第１の実施形態の壁掛けディスプレイの取り付け装置を示す外観斜視図
【図２】ａ、ｂ、ｃは、図１の取り付け装置で部屋の凸コーナ部に取り付けた壁掛けディスプレイを首振りさせる状態を示す平面図
【図３】第２の実施形態の壁掛けディスプレイの取り付け装置を示す外観斜視図
【符号の説明】
【００２２】
１  ベース
２  ホルダ
１ａ、２ａ  フランジ部
１ｂ、２ｂ  取り付け用孔
１ｃ、２ｃ  切り起こし部
３ａ、３ｂ  屈曲支持アーム
４  アーム要素
５、６  連結ピン
７  拘束具
８  鎖
【図１】
2009157139.tif 000003
【図２】
2009157139.tif 000004
【図３】
2009157139.tif 000005